(57)【要約】【課題】             水道水などの原水を電解して飲用のアルカリイオン水を生成する場合、同時に生成される酸性水はアストリンゼント効果が認められるものの、その多くは利用価値の少ない水としてドレンへ捨てられている。このため、電解水生成装置の使用目的が限定されるとともに、水が無駄になっていたという問題点が有った。【解決手段】        水を電解し、アルカリイオン水と酸性水を生成する電解水生成装置において、生成した酸性水を貯蔵する酸性水タンクを備えたことを特徴とする電解水生成方法。【選択図】          なし【特許請求の範囲】
【請求項１】
水を電解し、アルカリイオン水と酸性水を生成する電解水生成装置において、生成した酸性水を貯蔵する酸性水タンクを備えたことを特徴とする電解水生成方法。
【請求項２】
水を電解し、アルカリイオン水と酸性水を生成する電解水生成方法において、陽電極と陰電極を反転すると共に、流路を弁により切り替えて生成したアルカリイオン水をアルカリイオン水出口から取り出し、生成した酸性水を酸性水タンクに貯蔵することを特徴とする請求項１記載の電解水生成方法。
【請求項３】
水を電解し、アルカリイオン水と酸性水を生成する電解水生成方法において、生成したアルカリイオン水を浄水フィルターを通すと共に、生成した酸性水を酸性水タンクに貯蔵することを特徴とする請求項１〜２記載の電解水生成方法。
【請求項４】
水を電解し、アルカリイオン水と酸性水を生成する電解水生成方法において、生成したアルカリイオン水を浄水フィルターを通した後に、湯沸かし用熱交換器を通すと共に、生成した酸性水を酸性水タンクに貯蔵することを特徴とする請求項１〜２記載の電解水生成方法。
【発明の詳細な説明】
【技術分野】
【０００１】
本発明は水を電解してアルカリイオン水を生成するとともに、同時に生成される酸性水を生成する水処理方法に関する。
【発明の開示】
【発明が解決しようとする課題】
【０００２】
水道水などの原水を電解して飲用のアルカリイオン水を生成する場合、同時に生成される酸性水はアストリンゼント効果が認められるものの、その多くは利用価値の少ない水としてドレンへ捨てられている。このため、電解水生成装置の使用目的が限定されるとともに、水が無駄になっていたという問題点が有った。
本発明の目的は、水を電解して、一方でアルカリイオン水を生成するとともに、同時に生成される酸性水を無駄にしない電解水生成装置の提供に有る。
さらに、本発明の目的は、アルカリイオン水が生成する陰極にスケールが付着するという不都合が有り、かかる欠点を解消するという技術の提供に有る。
さらに、本発明の目的は、飲用のアルカリイオン水のトリハロメタン等の不純物を除去するための浄水フィルターの寿命を延ばすということに有る。
さらに、本発明の目的は、飲用のアルカリイオン温水の供給をするためには最適なシステムを提供することことに有る。
【課題を解決するための手段】
【０００３】
本発明の課題を解決するための手段の具体的な構成は、以下の通りである。
［請求項１］水を電解し、アルカリイオン水と酸性水を生成する電解水生成装置において、生成した酸性水を貯蔵する酸性水タンクを備えたことを特徴とする電解水生成方法。
［請求項２］水を電解し、アルカリイオン水と酸性水を生成する電解水生成方法において、電極を反転すると共に、流路を弁により切り替えて生成したアルカリイオン水をアルカリイオン水出口から取り出し、生成した酸性水を酸性水タンクに貯蔵することを特徴とする請求項１記載の電解水生成方法。
［請求項３］水を電解し、アルカリイオン水と酸性水を生成する電解水生成方法において、生成したアルカリイオン水を浄水フィルターを通すと共に、生成した酸性水を酸性水タンクに貯蔵することを特徴とする請求項１〜２記載の電解水生成方法。
［請求項４］水を電解し、アルカリイオン水と酸性水を生成する電解水生成方法において、生成したアルカリイオン水を浄水フィルターを通した後に、湯沸かし用熱交換器を通すと共に、生成した酸性水を酸性水タンクに貯蔵することを特徴とする請求項１〜２記載の電解水生成方法。
(用語の説明)
・電解水生成装置とは、水を電解し、アルカリイオン水と酸性水を生成する装置をいう。水は、
・陽電極と陰電極を反転するとは、電気的に切り替えて、陽電極を陰電極に、陰電極を陽電極に切り替えることをいう。ここに、切り替える周期は、スケールの生成を防止に足りる期間であれば良く、例えば、１日毎、あるいは一週間毎、あるいは十日毎であっても良い。
・流路を弁により切り替えるとは、弁によって流路を切り替えることによって、陽電極と陰電極を反転することによって陰電極側で生成することとなったアルカリイオン水をアルカリイオン水出口から取り出すように、かつ陽電極側で生成することとなった酸性水を酸性水タンクに通ずるようすることをいう。
・生成したアルカリイオン水を浄水フィルターを通すとは、飲用水として用いられる水を電解して、アルカリイオン水を生成させた後に、浄水フィルターを通すということである。これは、電解される水量をＷ、生成されるアルカリイオン水量をＷａ、生成される酸性イオン水量をＷｂとし、略同じ量のアルカリイオン水と酸性イオン水が生成されることから、Ｗａ≒Ｗ／２、Ｗｂ≒Ｗ／２となる。飲用水用のアルカリイオン水は、浄水フィルターを通す必要が有るが、除菌用の酸性水は、浄水フィルターを必ずしも通す必要がない。
水量Ｗを電解処理した後、生成したアルカリイオン水量Ｗａ≒Ｗ／２のみを浄水フィルターに通す方法は、水量Ｗを浄水フィルターに通した後電解処理する方法に比較して、浄水フィルターの浄化水量は、後者のそれより約半分と少ない。浄水フィルターを通した後で、水を電解して、アルカリイオン水を生成させたのでは、浄水フィルターを通した過剰処理の酸性水も生成することとなる。酸性水は浄水フィルターを通す必要がなく、アルカリイオン水のみを浄水フィルターを通すとすれば、浄水フィルターの寿命が約二倍程長くなる。逆に言えば、浄化フィルターは、前者の方法は、後者の方法に比較して二倍寿命が長くなる。このことは、浄水フィルターの取り替えの周期が長くすることができるので、特に維持管理を極力嫌う家庭用の場合には、効果が大きい。
［作用］水道水等を有隔膜電解槽において電気分解すると、陰極室から、例えばｐＨ８〜１１の飲用のアルカリイオン水が生成されるとともに、陰極室からはｐＨ３〜４程度の酸性水が生成される。この酸性水に次亜塩素酸ナトリウム（ＮａＣｌＯ）を添加することにより、化１の反応で、水中に次亜塩素酸ＨＣｌＯが発生する。
次亜塩素酸ＨＣｌＯは強い殺菌性が認められ、生成される次亜塩素酸水溶液は有効な殺菌水として利用することができる。
【０００４】
酸性水に次亜塩素酸ナトリウム（ＮａＣｌＯ）を添加したときの水のｐＨ値が４〜６になるように調整すると、水中に次亜塩素酸（ＨＣｌＯ）が安定した状態で多く生成され、殺菌力の強い水になる。
【発明の効果】
【０００５】
本発明は電解により正規の目的のアルカリイオン水を生成することができるとともに、同時に生成される酸性水の付加価値を高め、殺菌水として使用することができるのできわめて合理的であり、また、原水をすべて有効に利用できるので経済的である。
【発明を実施するための最良の形態】
【０００６】
以下に本発明の実施例を説明する。有隔膜電解槽１は、対向配設した陰電極２と陽電極室３間を電解隔膜４によって陰極室５と陽極室６に仕切った構成になり、電解槽１内に水を給水して、両電極に直流の電解電圧を印加することにより、水が電気分解され、陰極室５にアルカリイオン水を生成され、陽極室６に酸性水が生成されるようになっている。
【０００７】
図の実施例の電解槽１は原水を連続的に給水しながら電解する連続式電解槽を例示しているため、陰極室５のアルカリイオン水はアルカリ水排水管７から取水蛇口（図省略）へ送られて、飲用等に供されるとともに、陽極室６に生成された酸性水は酸性水排水管８から酸性水タンク９に収容されるようになっている。
【０００８】
薬液タンク１０からタンク９内の酸性水に次亜塩素酸ナトリウム（ＮａＣｌＯ）を添加、混合すると、化２の反応により、酸性水中に次亜塩素酸（ＨＣｌＯ）が発生し、次亜塩素酸水溶液となる。
【０００９】
次亜塩素酸ナトリウムの添加量は、電解によって生成される酸性水のｐＨ値によって異なり、酸性水に次亜塩素酸ナトリウム（ＮａＣｌＯ）を添加したときの水のｐＨ値が４〜６になるように調整するのが好ましい。すなわち、ｐＨ４〜６では、化３の反応において、右側から左側へ移動するため、水中に次亜塩素酸（ＨＣｌＯ）が多くなり、強い殺菌力が得られる。
他方、ｐＨ６以上では、上記化学式３の反応において、右側から左側への反応が多くなるため殺菌力が得られず、また、ｐＨ４以下では、化４の反応において、左側から右側への反応が多くなるため塩素ガスが発生し易くなり、いずれも好ましくない。
【００１０】
次亜塩素酸水溶液は強い殺菌力が認められており、従って、上記電解酸性水は次亜塩素酸ナトリウムの添加により、強い殺菌力のある殺菌水に調整される。かくして、本発明は、一方で電解アルカリイオン水を生成しながら、他方で電解酸性水を殺菌水に調整して付加価値を高め、二種の有用な水を同時に得ようとするものである。
【００１１】
図の実施例では連続式電解槽で生成された酸性水を次亜塩素酸含有殺菌水に調整する場合を例示したが、もちろん、バッチ式電解槽で生成した酸性水にも同様に適用できる。
【００１２】
図では、タンク内に貯留した酸性水に次亜塩素酸ナトリウムを添加して殺菌水に調整処理する場合を例示したが、酸性水排水管内を流れる酸性水に対して同様の処理をしてもよい。